(57)【要約】委託品保管場所に置かれた、所定の時刻に委託品保管場所に物理的に置かれる委託品を表す手持ち数量、委託品保管場所に置かれた、委託品保管場所に物理的に存在せず、所定の時刻に購入されていない委託品を表す未請求数量、委託品保管場所に見つかるが、所定の時刻には委託品とみなされない商品を表す過剰数量、および所定の時刻に委託品保管場所にすでに配送されている委託品を表す永続的数量を追跡し、調整する委託品在庫管理および調整の方法およびシステム。
2006520968.tif 000002
【特許請求の範囲】
【請求項１】
委託品在庫管理および調整システムであって、
ａ．売り手から買い手に出荷され、前記買い手の委託品在庫保管場所に置かれている第１の商品と、
ｂ．前記売り手により前記買い手に出荷され、前記売り手により請求書が送られておらず、前記買い手の委託品在庫保管場所にも見つからない、第２の商品と、
ｄ．前記売り手により前記買い手に出荷されておらず、前記買い手の委託品在庫保管場所には見つかり、前記売り手により前記買い手に委託に基づいて提供される商品と同じＩＤを持つ第３の商品との、
追跡および調整が行われる委託品在庫管理および調整システム。
【請求項２】
前記システムは、さらに、前記第１の商品、前記第２の商品、および前記第３の商品の経過期間も調査する請求項１に記載のシステム。
【請求項３】
商品番号、商品ロット番号、および商品有効期限からなるグループから選択された１つまたは複数の追跡が行われる請求項１に記載のシステム。
【請求項４】
追跡は、取引が処理されるときに必ず実行される請求項３に記載のシステム。
【請求項５】
前記取引は、取引記述および取引額により表される請求項３に記載のシステム。
【請求項６】
前記取引額は、小数点数の０、正数、および負数のうちの１つとすることができる請求項５に記載のシステム。
【請求項７】
前記取引は、請求、使用、処分、返品、トランスファーアウト、受領、トランスファーイン、注文、セット、およびカレントからなるグループから選択された１つまたは複数である請求項４に記載のシステム。
【請求項８】
請求は、前記商品がもはや前記買い手の委託品保管場所にはないが、所有権が前記売り手から前記買い手に譲渡されていない場合に使用される請求項７に記載のシステム。
【請求項９】
使用は、前記買い手がすでに前記商品を使用しており、前記売り手から前記買い手に所有権を譲渡するプロセスが開始されなければならないか、またはすでに競合状態にある場合に使用される請求項７に記載のシステム。
【請求項１０】
処分は、前記商品がもはや前記買い手の委託品保管場所になく、売り手は前記商品を帳簿から抹消しており、所有権は前記売り手から前記買い手に譲渡されない場合に使用される請求項７に記載のシステム。
【請求項１１】
受領は、前記商品が前記売り手から前記買い手の委託品保管場所に物理的に移動されており、所有権は前記売り手から前記買い手に譲渡されない場合に使用される請求項７に記載のシステム。
【請求項１２】
トランスファーインは、前記商品が第三者の場所から前記買い手の委託品保管場所に物理的に移動されており、所有権は前記売り手から前記買い手に譲渡されない場合に使用される請求項７に記載のシステム。
【請求項１３】
返品は、前記商品が前記買い手の委託品保管場所から前記売り手に物理的に戻され、所有権は前記売り手から前記買い手に譲渡されない場合に使用される請求項７に記載のシステム。
【請求項１４】
トランスファーアウトは、前記商品が前記買い手の委託品保管場所から第三者の場所に物理的に移動されており、所有権は前記売り手から前記買い手に譲渡されない場合に使用される請求項７に記載のシステム。
【請求項１５】
注文は、前記買い手の（複数の）委託品の数量を増やす結果となっている場合に使用される請求項７に記載のシステム。
【請求項１６】
セットは、前記売り手および前記買い手が合意している商品の数量が前記委託品保管場所にあり、委託品在庫の手持ち数量の出発点として使用される場合に使用される請求項７に記載のシステム。
【請求項１７】
カウントは、前記買い手の委託品保管場所で前記売り手と前記買い手とが同時に前記数量を物理的に見つけ、検証できる場合に使用される請求項７に記載のシステム。
【請求項１８】
調整は、在庫カウントプロセスの後に実行される請求項１に記載のシステム。
【請求項１９】
前記調整では、第２の商品を未請求、第３の商品を過剰として記載し、前記売り手が時間の経過とともに第２の商品および第３の商品の数量を追跡し、委託品在庫のより正確な履歴を提供するようにできる請求項１８に記載のシステム。
【請求項２０】
前記売り手は、前記商品ロット番号および商品有効期限の前記追跡を使用して、前記第１および第２の商品のうちどれが有効期限に迫っているか、したがって調節する必要があるかを判別する請求項３に記載のシステム。
【請求項２１】
前記第１の商品は、複数のカテゴリにまとめられる請求項１に記載のシステム。
【請求項２２】
前記第２の商品は、複数のカテゴリにまとめられる請求項１に記載のシステム。
【請求項２３】
前記第３の商品は、複数のカテゴリにまとめられる請求項１に記載のシステム。
【請求項２４】
調節は、前記複数のカテゴリのうちの１つまたは複数に応じて行われる請求項２１に記載のシステム。
【請求項２５】
在庫総計は、前記第１の商品および前記第２の商品の合計から前記第３の商品を差し引いた結果である請求項１に記載のシステム。
【請求項２６】
委託品在庫管理および調整システムであって、
（ａ）売り手から買い手に出荷され、前記買い手の委託品在庫保管場所に置かれている第１の商品と、
（ｂ）前記売り手により前記買い手に出荷され、前記売り手により請求書が送られておらず、前記買い手の委託品在庫保管場所にも見つからない、第２の商品との、
追跡および調整が行われる委託品在庫管理および調整システム。
【請求項２７】
前記売り手により前記買い手に出荷されておらず、前記買い手の委託品在庫保管場所には見つかり、前記売り手により前記買い手に委託に基づいて提供される商品と同じＩＤを持つ第３の商品の追跡および調整も行われる請求項２６に記載のシステム。
【請求項２８】
委託品在庫管理および調整システムであって、
（ａ）売り手から買い手に出荷され、前記買い手の委託品在庫保管場所に置かれている第１の商品と、
（ｂ）前記売り手により前記買い手に出荷されておらず、前記買い手の委託品在庫保管場所には見つかり、前記売り手により前記買い手に委託に基づいて提供される商品と同じＩＤを持つ第３の商品との、
追跡および調整が行われる委託品在庫管理および調整システム。
【請求項２９】
前記売り手により前記買い手に出荷され、前記売り手により請求書が送られておらず、前記買い手の委託品在庫保管場所にも見つからない、第２の商品の追跡および調整も行われる請求項２８に記載のシステム。
【請求項３０】
委託品在庫管理および調整システムであって、
（ａ）前記売り手により前記買い手に出荷され、前記売り手により請求書が送られておらず、前記買い手の委託品在庫保管場所にも見つからない、第２の商品と、
（ｂ）前記売り手により前記買い手に出荷されておらず、前記買い手の委託品在庫保管場所には見つかり、前記売り手により前記買い手に委託に基づいて提供される商品と同じＩＤを持つ第３の商品との、
追跡および調整が行われる委託品在庫管理および調整システム。
【請求項３１】
請求項１に記載のプロセス段階を実行する１つまたは複数の機能をプロセッサに実行させるように構成されているコンピュータプログラムコードを有するコンピュータ使用可能媒体。
【発明の詳細な説明】
【技術分野】
【０００１】
本発明は、委託品在庫管理および調整システムに関するものであり、好ましくは、これに限られるわけではないが、委託品在庫の関連するすべての商品の追跡および経過期間調査を実行できる。
【背景技術】
【０００２】
１９９８年７月に、Ｅｌｅｃｔｒｏｎｉｃｓ  Ｉｎｄｕｓｔｒｙ  Ｄａｔａ  Ｅｘｃｈａｎｇｅ（ＥＩＤＸ）は、「Ｉｎｖｅｎｔｏｒｙ  Ｍａｎａｇｅｍｅｎｔ  Ｂｕｓｉｎｅｓｓ  Ｍｏｄｅｌｓ  ｆｏｒ  Ｃｏｎｓｉｇｎｍｅｎｔ  Ｐｒｏｃｅｓｓｅｓ」という表題の論文を発表した。この論文には、次のような委託在庫の定義が載っていた。
【０００３】
委託在庫とは、一方の当事者（例えば、顧客、販売店、代理店など）に所有されているが、双方の合意により他方の当事者（例えば、製造業者、主契約者など）の財産のままである在庫のことである。
【０００４】
在庫の所有者は、その在庫の所有権を持たない。在庫に対する法的責任は、契約上の合意による。所有権は、契約上の合意に応じて、所有者に渡される場合も渡されない場合もある。
【０００５】
買い手が在庫を消費すると、所有権が売り手から買い手に移る場合がある。在庫は、買い手により、第三者の倉庫に委託することができ、ただし、責任は移るが所有権は移らない。在庫は、買い手により委託製造業者に委託することができ、所有権は、契約上の合意に応じて移る場合も移らない場合もある。
【０００６】
これは、以下の同義語を持つ。
・サプライヤ所有在庫（買い手から見て）
・顧客所有在庫（委託製造業者から見て）
・社内ストア（受託者から見て）
・ライン側ストック
・遠隔地の倉庫（売り手から見て）。
【０００７】
この定義は、本明細書全体を通して適用される。
【０００８】
在庫商品追跡システムは、倉庫または小売り店での商品の追跡および管理に広く使用されている。
【０００９】
現行の委託品在庫の方法およびシステムは、売り手により買い手の委託品保管場所に出荷された委託品在庫の量しか追跡しない。これは、伝統的に、手持ち量と呼ばれている。現行の委託品在庫システムは、商品が買い手に出荷されると手持ち数量を増分し、所有権が売り手から買い手に移されると手持ち数量を減分し、買い手は、商品を売り手に戻し、商品は欠品していると判断され、売り手はその商品を帳簿から抹消する。
【００１０】
現在、以下のような商品の追跡および経過期間調査を行う方法もシステムもない。
・売り手から買い手に出荷された商品、
・売り手によって請求書がすでに送られている商品、
・買い手の委託品保管場所には見つからない商品。
【００１１】
これは、本明細書では未請求数量として識別されている。
【００１２】
現在、以下のような商品の追跡および経過期間調査を行う方法およびシステムはない。
・売り手から買い手に出荷されなかった商品、
・買い手の委託品保管場所で見つけることができ、委託で売り手により買い手に提供される商品と同じである商品。
【００１３】
これは、本明細書では過剰数量として識別されている。
【００１４】
委託品在庫管理の方法およびプロセスは、今日では、委託在庫を低減するために買い手と売り手との間の商品の所有権譲渡に依存する。現在の方法およびシステムでは、売り手から買い手に出荷され、買い手により使用されているか、または売り手への通知なしで買い手の委託品保管場所から取り除かれている商品の追跡を行うことができない。
【発明の概要】
【００１５】
本発明の好適な一態様では、以下の追跡および調整が行われる委託品在庫管理および調整システムを実現する。
ａ．売り手から買い手に出荷され、買い手の委託品在庫保管場所に置かれている第１の商品、
ｂ．売り手によって買い手に出荷され、売り手によって請求書が送られておらず、買い手の委託品在庫保管場所にも見つからない、第２の商品、および
ｃ．売り手によって買い手に出荷されておらず、買い手の委託品在庫保管場所には見つかり、売り手により買い手に委託に基づいて提供される商品と同じＩＤを持つ第３の商品。
【００１６】
好ましくは、システムでは、さらに、第１の商品および第２の商品の経過期間を調査する。
【００１７】
商品番号、商品ロット番号、および商品有効期限からなるグループから選択された１つまたは複数の追跡がありうる。追跡は、取引が処理されるときに必ず実行されるようにできる。取引は、取引記述および取引額により表すことができる。取引額は、小数点数の０、正数、および負数とすることができる。取引は、請求、使用、処分、返品、トランスファーアウト、受領、トランスファーイン、注文、セット、およびカウントのうちの１つとすることができる。
【００１８】
「請求」は、その商品がもはや買い手の委託品保管場所になく、所有権は売り手から買い手に譲渡されなければならない場合に使用することができる。
【００１９】
「使用」は、買い手がすでにその商品を使用しており、売り手から買い手へ所有権を譲渡するプロセスが開始されなければならないか、またはすでに競合状態にある場合に使用することができる。
【００２０】
「処分」は、その商品がもはや買い手の委託品保管場所になく、売り手がその商品を帳簿から抹消しようとしている場合に使用することができる。所有権は、売り手から買い手に譲渡されない。
【００２１】
「受領」は、商品が売り手から買い手の委託品保管場所に物理的に移動される場合に使用することができる。所有権は、売り手から買い手に譲渡されない。
【００２２】
「トランスファーイン」は、商品が第三者の場所から買い手の委託品保管場所に物理的に移動される場合に使用することができる。所有権は、売り手から買い手に譲渡されない。
【００２３】
「返品」は、商品が買い手の委託品保管場所から売り手に物理的に戻される場合に使用することができる。所有権は、売り手から買い手に譲渡されない。
【００２４】
「トランスファーアウト」は、商品が買い手の委託品保管場所から第三者の場所に物理的に移動される場合に使用することができる。所有権は、売り手から買い手に譲渡されない。
【００２５】
「注文」は、買い手の（複数の）委託品の数量を増やす要求があった場合に使用することができる。
【００２６】
「セット」は、売り手と買い手とが合意している商品の数量が委託品保管場所にある場合に使用することができる。委託品在庫の手持ち数量の出発点として使用することができる。
【００２７】
「カウント」は、買い手の委託品保管場所で売り手と買い手とが同時にその数量を物理的に見つけ、検証できる場合に使用できる。
【００２８】
在庫数カウントプロセスの後に調整を行うのが好ましい。調整では、第１の商品を未請求、第３の商品を過剰として記載し、売り手が時間の経過とともに第１の商品および第３の商品の数量を追跡し、委託品在庫のより正確な履歴を提供するようにできる。
【００２９】
売り手は、商品ロット番号および商品有効期限の追跡を使用して、第１、第２、および第３の商品のうちどれが有効期限に迫っているか、したがって調節する必要があるかを判別することができる。調節は、カウントされる内容（つまり、実際にそこにあるもの）とそこに出荷されたのだからきっとそこにあると考えられたものとの間の調整に基づくことができる。
【００３０】
第１、第２、および第３の商品のうちの１つまたは複数を複数のカテゴリにまとめることができる。調節は、その複数のカテゴリのうちの１つまたは複数に基づく。
【００３１】
在庫品総量は、第１の商品と第２の商品との合計から第３の商品を差し引いたものとして決定することができる。
【００３２】
他の実施形態では、売り手から買い手に出荷され、買い手の委託品在庫保管場所に置かれている第１の商品、および売り手によってまだ請求書が出されておらず買い手の委託品在庫保管場所に見つからない、売り手により買い手に出荷された第２の商品の追跡および調整が行われる委託品在庫管理および調整システムが実現される。
【００３３】
売り手によって買い手に出荷されておらず、買い手の委託品在庫保管場所には見つかり、売り手により買い手に委託に基づいて提供される商品と同じＩＤを持つ第３の商品の追跡もありえる。
【００３４】
さらに他の実施形態では、売り手から買い手に出荷され、買い手の委託品在庫保管場所に置かれている第１の商品、および売り手によって買い手に出荷されておらず、買い手の委託品在庫保管場所には見つかり、売り手により買い手に委託に基づいて提供される商品と同じＩＤを持つ第３の商品の追跡および調整が行われる委託品在庫管理および調整システムが実現される。
【００３５】
売り手によって買い手に出荷され、売り手によって請求書が送られておらず、買い手の委託品在庫保管場所にも見つからない、第２の商品の追跡および調整もありえる。
【００３６】
最後に、売り手によって買い手に出荷され、売り手によってまだ請求書が送られておらず、買い手の委託品在庫保管場所にも見つからない第２の商品、および売り手によって買い手に出荷されていない、買い手の委託品在庫保管場所に見つかる、売り手により買い手に委託に基づいて提供される商品と同じＩＤを持つ第３の商品の追跡および調整が行われる委託品在庫管理および調整システムを実現することができる。
【００３７】
本発明は、さらに、上述のプロセス段階を実行する１つまたは複数の機能をプロセッサに実行させるように構成されているコンピュータプログラムコードを格納するコンピュータ使用可能媒体にも拡大適用される。
【００３８】
本発明をわかりやすくし、実施するために、非限定的な例を用い、本発明の好適な実施形態のみを説明するが、説明では付属の図面を参照する。
【好適な実施形態の説明】
【００３９】
図１をまず参照すると、プロセス全体の概要がそこに示されている。２、３、４、５、６、７、８、９、および１０で始まる参照番号は、それぞれ、図２、３、４、５、６、７、８、９、および１０に例示されているプロセスについてのものである。
【００４０】
委託品在庫管理プロセスは、商品の使用、注文、およびカウントなどのさまざまなイベントにより開始することができる。売り手にこれらのイベントを気づかせる方法はいくつかある。図１は、これらのイベントを示している。また、複数のプロセスに影響する他のすべてのプロセスも示している。最初の表には、図１のさまざまな要素およびプロセスが説明されている。
【００４１】
【表１】
2006520968.tif 000003
【００４２】
次に図２を参照すると、売り手から買い手に出荷され、一度に買い手の委託品在庫保管場所に物理的に置かれている商品は、手持ち数量として識別される。
【００４３】
帳簿の方法およびシステムでは、買い手に出荷され、いつでもなければならない委託品全体を売り手が追跡する必要があった。これは、総量と呼ばれる。
【００４４】
合計＝手持ち＋未請求−過剰
現行の委託品在庫の方法およびシステムと同様に、「発注済み」は、買い手の委託品保管場所に対し要求されているが、売り手から買い手に一度には出荷されていない委託品を表す。
【００４５】
取引は、取引記述および取引額により表される。取引記述は、取引をするために使用される符号である。これは、英字、数字、または英数字である。符号は、適当なまたは望む長さのものでよい。取引額は、小数点数の０、正数、または負数とすることができる。
【００４６】
この方法およびシステムで使用する取引（Ｔｒｘｎ）は、以下を含む。
・請求：その商品は、もはや買い手の委託品保管場所になく、所有権は売り手から買い手に譲渡されなければならない。
・使用：買い手は、すでにその商品を使用しており、売り手から買い手へ所有権を譲渡するプロセスが開始されなければならないか、またはすでに競合状態にある。
・処分：その商品はもはや買い手の委託品保管場所になく、売り手がその商品を帳簿から抹消しようとしている。所有権は、売り手から買い手に譲渡されない。
・返品：商品は、買い手の委託品保管場所から売り手に物理的に移動されるが、所有権は売り手から買い手に譲渡されない。
・トランスファーアウト：商品は、買い手の委託品保管場所から第三者の場所に物理的に移動されるが、所有権は売り手から買い手に譲渡されない。
・受領：商品は、売り手から買い手の委託品保管場所に物理的に移動される。所有権は、売り手から買い手に譲渡されない。
・トランスファーイン：商品は、第三者の場所から買い手の委託品保管場所に物理的に移動される。所有権は、売り手から買い手に譲渡されない。
・注文：買い手の（複数の）委託品の数量を増やす結果となっている。
・セット：売り手と買い手とが合意している商品の数量が委託品保管場所にある。委託品在庫の手持ち数量の出発点として使用することができる。
・カウント：買い手の委託品保管場所で売り手と買い手とが同時に物理的に見つけ、検証できる数量。
【００４７】
この方法およびシステムは、商品番号、商品ロット番号、および商品有効期限を追跡する。取引は、委託品在庫更新プロセスに渡される取引に基づいて商品または商品／ロット番号について処理される。ほとんどの場合、処理することができる取引は複数ありえる。どの取引が処理されるかは、
・買い手と売り手との合意、および
・買い手と売り手により使用される他のシステムおよび方法
によって決まる。
【００４８】
処理される取引は買い手と売り手によって異なることがあるが、所望の結果は同じである。所定の時点での総量、手持ち数量、未請求数量、および過剰数量を追跡し調整する委託品在庫管理および調整の方法およびシステムを提供する。
【００４９】
【表２】
2006520968.tif 000004
【００５０】
図３では、発注プロセスが例示されている。さまざまな発注の方法およびシステムが多数ある。発注プロセスは、この委託品在庫管理および調整システムに必要なプロセスのみを対象とする。他の発注システムに関係する詳細内容については取りあげない。
【００５１】
【表３】
2006520968.tif 000005
【００５２】
在庫補充プロセスは、図４に例示されている。これは、委託品在庫の管理を行う標準的な方法である。在庫補充プロセスは、売り手から買い手の委託品保管場所への委託品在庫の移動に注目する。所有権の譲渡は発生しない。このプロセスでは、さまざまな承認および署名が必要になることがある。
【００５３】
【表４】
2006520968.tif 000006
【００５４】
請求書発行プロセスは、図５に例示されている。これは、委託品在庫の管理を行う標準的な方法である。請求書発行プロセスにより、売り手から買い手への委託品在庫所有権の譲渡が開始する。
【００５５】
【表５】
2006520968.tif 000007
【００５６】
図６は、在庫カウントプロセスを例示している。これは、委託品在庫の管理を行う標準的な方法である。在庫カウントプロセスは、毎日、毎週、毎月、および四半期毎に、または毎年のサイクルだけでなく、買い手の売り手とが在庫カウントで合意したときにはいつでも、実行することができる。
【００５７】
在庫カウントプロセス（または別名としてサイクルカウント）は、買い手の委託品保管場所にあるすべての商品または特定の商品群の物理的カウントを一度に実行する。これは、それぞれの商品に関連するロット／バッチをカウントすることも含む場合がある。ロット／バッチは、通常、商品有効期限を含み、したがって、在庫カウントは、通常、期限切れの商品の識別および除去を含む。
【００５８】
【表６】
2006520968.tif 000008
【００５９】
返品プロセスは、図７に例示されている。これは、委託品在庫の管理を行う標準的な方法である。返品プロセスは、買い手の委託品保管場所から売り手に戻す委託品在庫の移動に注目する。所有権の譲渡は発生しない。このプロセスでは、さまざまな承認および署名が必要になることがある。
【００６０】
商品は、商品が期限切れになった、段階的に廃止される、買い手が委託品保管場所に置きたくなくなったなど、いくつもの理由から返品されることがある。
【００６１】
【表７】
2006520968.tif 000009
【００６２】
図８は、調整プロセスを例示している。現在の委託品在庫の方法およびシステムでは、買い手および売り手が委託品保管場所からなくなっている商品を識別するための方法として調整プロセスが必要であることに注目する。現在の方法は、さらに、買い手と売り手との間の契約でなくなっている商品のコストを負担すべき側を決定する必要があること、およびなくなっている商品を識別するレポートが必要であることにも注目している。
【００６３】
調整プロセスは、通常、在庫カウントプロセスの後に続く。現在の委託品在庫の方法およびシステムでは、サプライヤが買い手に対し、なくなっている商品の請求書を発行するか、または買い手と売り手との契約に基づきそのなくなっている商品を帳簿から抹消する。この結果、手持ち数量がなくなっている数量分だけ減少する。なくなっている数量は、カウントと手持ち量との差である。現在のところ、売り手は、一定期間にわたってなくなっている商品を追跡する手段を持たない。
【００６４】
さらに、カウントプロセスでは、買い手の委託品保管場所にある商品を見つけることができるが、売り手はそれらの商品を出荷する記録を持っていない。これは、以下のようないくつもの理由から生じうる。
・一方の買い手の委託品保管場所から他方への記録されていない移動。この場合、売り手が実際には商品を所有している。
・非委託品は委託品で置かれ、カウントされる。この場合、買い手が実際には商品を所有している。
【００６５】
買い手および売り手は、その商品を誰が所有しているかを知る手段を持たず、また現在のシステムおよび方法も、それらの商品を追跡する手段を持たない。
【００６６】
図２、委託品在庫更新プロセス、に関して説明されているように、本発明の方法およびシステムでは、なくなっている商品を「未請求」、余分な商品を「過剰」として追跡する。これにより、売り手は未請求および過剰の経過期間を調べ（時間とともに変わる量を追跡し）、未請求および過剰を調査することで、実行すべき処置を適切に判断することができる。したがって、委託品在庫をより正確に見えるようにできる。
【００６７】
調整プロセスでは、手持ち、未請求、および過剰の量を調節し、買い手の委託品在庫保管場所に実際に随時置かれている商品を正確に反映するようにする。
【００６８】
【表８】
2006520968.tif 000010
【００６９】
過剰＆未請求調節プロセスは、図９に例示されている。売り手は、ロットレベルで商品を追跡することができる。ロットは、商品製造の時期に基づいて商品をグループにまとめるために使用される。ロットで、商品有効期限も識別する。売り手側では、製品のグループが置かれている場所を正確に判別するためにロットを追跡する。売り手は、さらに、ロットを追跡し商品有効期限を適切に管理することで、期限切れになる前に売れる可能性の高い場所に委託品を移動するようにできる。ロットは、ほとんどの商品の製造に使用されている。ロットは、製品寿命が短く、人々の生命が危険にさらされる可能性のある、健康および食品産業で特に重要である。
【００７０】
売り手は、通常、買い手の委託品保管場所にどのようなロットが出荷されたかを知っているが、買い手はどのロットが使用されているかを追跡することはできない。したがって、売り手は、どのロットが使用されたか、どのロットが売れ残っているかを知らない。
【００７１】
現在の方法およびシステムでは、特定のロットを出荷した場合に売り手が特定のロットに対する請求書を発行する必要がある。売り手はどのようなロットが使用されているかを知らないため、間違ったロットに対する請求書を発行することが多い。これは、通常、買い手には関係しないことであるが、どのような商品／ロットが委託で買い手の場所に置かれているかについて正確に見ることができないため売り手にとっては問題になる場合がある。
【００７２】
図９の過剰＆未請求調節プロセスでは、調整からの情報を使用して商品に対する過剰および未請求ロットを捕らえる。その結果、どのようなロットが手持ち、未請求、および過剰であるかを正確に見ることができる。
【００７３】
【表９】
2006520968.tif 000011
【００７４】
図１０では、注文選択プロセスが例示されている。オーダーピッキング（注文履行ともいう）は、買い手の委託品在庫補充注文と倉庫内の売り手の在庫とを照合するプロセスである。売り手は、その後、倉庫から在庫を選択して、買い手の在庫補充注文に応じる。注文を選択する標準的な方法は、電子的手段およびハードコピーを含めて多数ある。
【００７５】
【表１０】
2006520968.tif 000012
【００７６】
上述の委託品在庫管理および調整の方法およびシステムでは、委託品保管場所に置かれた、所定の時刻に委託品保管場所に物理的に置かれる委託品を表す手持ち数量、委託品保管場所に置かれた、委託品保管場所に物理的に存在せず、所定の時刻に購入されていない委託品を表す未請求数量、委託品保管場所に見つかるが、所定の時刻には委託品とみなされない商品を表す過剰数量、および所定の時刻に委託品保管場所にすでに配送されている委託品を表す総量または永続的数量を追跡し、調整する。
【００７７】
未請求および過剰委託品数量の追跡機能があるため、サプライヤは、以前の在庫追跡システムおよび方法ではこれまで得られなかった視認性を確保できる。この視認性のおかげで、サプライヤは、委託在庫品を正確に管理し、潜在的債務残高（減価償却）を識別するとともに、売り上げ喪失を防ぐことができる。
【００７８】
委託品在庫管理および調整の方法およびシステムは、手持ち、未請求、および過剰数量を加減する特定の取引を処理する方法およびシステムを実現することにより従来の委託品在庫管理の方法およびシステムへの機能強化として働く。これは、委託品在庫更新プロセス、調整プロセス、および過剰＆未請求調節プロセスにより達成される。
【００７９】
本発明は、さらに、上述のプロセス段階を実行する１つまたは複数の機能をプロセッサに実行させるように構成されているコンピュータプログラムコードを格納するコンピュータ使用可能媒体にも拡大適用される。
【００８０】
前記の説明では、本発明の好適な実施形態が説明されているが、この技術およびビジネスシステムの当業者であれば、本発明から逸脱することなく動作の詳細に対し多数の変更または修正を加えられることは理解されるであろう。
【図面の簡単な説明】
【００８１】
【図１】本発明の好適な実施形態による委託品在庫管理プロセスの概要の流れ図である。
【図２】図１の委託品在庫更新プロセスの流れ図である。
【図３】図１の発注プロセスの流れ図である。
【図４】図１の在庫補充プロセスの流れ図である。
【図５】図１の請求書発行プロセスの流れ図である。
【図６】図１の在庫カウントプロセスの流れ図である。
【図７】図１の返品プロセスの流れ図である。
【図８】図１の調整プロセスの流れ図である。
【図９】図１の過剰＆未請求調節プロセスの流れ図である。
【図１０】図１のオーダーピッキングプロセスの流れ図である。
【図１】
2006520968.tif 000013
【図２】
2006520968.tif 000014
【図３】
2006520968.tif 000015
【図４】
2006520968.tif 000016
【図５】
2006520968.tif 000017
【図６】
2006520968.tif 000018
【図７】
2006520968.tif 000019
【図８】
2006520968.tif 000020
【図９】
2006520968.tif 000021
【図１０】
2006520968.tif 000022
【国際調査報告】
2006520968.tif 000023
2006520968.tif 000024